(57)【要約】【課題】鍵管理ボックスにおいてロックユニット１に鍵ユニット２を返却するとき、空いていればどのロックユニット１にでも挿入できるようにして、使い勝手を良くする。【解決手段】鍵ユニット２のタグカードにＩＣタグを取り付けておく。ロックユニット１でＩＣタグの識別コードを読み取る。制御部３のメモリにおいて識別コードとロックユニット１との対応情報を記憶しておく。ボックス錠２０でマスターキーから管理者ＩＤを読み取ると、その管理者ＩＤに許可されている鍵（鍵ユニット２）のあるロックユニット１のＬＥＤ１１を点灯する。鍵ユニット２がロックユニット１から取り出される毎に対応情報を更新する。鍵ユニット２がロックユニット１に挿入される毎に、識別コードを読み取って、対応情報を更新する。対応情報を管理に用いる。【選択図】図１
2006257643.tif 000002
【特許請求の範囲】
【請求項１】
鍵と該鍵に付帯するホルダとからなる複数の鍵ユニットを、該鍵ユニットを離脱不能にするロック機構を有する複数のロックユニットで保持し、該複数の鍵ユニットを一括して収納管理する鍵管理装置であって、
前記鍵ユニットのホルダに当該鍵ユニットの識別コードを出力する識別コード出力手段が設けられ、
前記ロックユニットに前記識別コードを入力する識別コード入力手段が設けられ、
前記各ロックユニットに接続され該ロックユニットのロック機構を制御する制御部を備え、
前記制御部は、前記ロックユニットに装着された鍵ユニットの識別コードを前記識別コード入力手段から入力して該識別コードと該ロックユニットとの対応情報を記録し、該対応情報に基づいて各ロックユニットのロック機構のロック及び解除を制御することを特徴とする鍵管理装置。
【請求項２】
前記制御部は、管理者ＩＤを入力するＩＤ入力手段を備え、
入力した管理者ＩＤに許可された鍵ユニットに対応するロックユニットを前記対応情報から検出して、該検出したロックユニットのロック機構を解除することを特徴とする請求項１に記載の鍵管理装置。
【請求項３】
前記各ロックユニットに表示手段が設けられ、
前記制御部によりロック機構の解除を行うロックユニットについて、該ロックユニットの表示手段に該解除または解除可能を知らせるための表示を行うことを特徴とする請求項１または２に記載の鍵管理装置。
【請求項４】
前記各鍵ユニットの各鍵に当該鍵の鍵識別コードを出力する鍵識別コード出力手段が設けられ、
前記制御部に対して、該鍵識別コード出力手段の鍵識別コードを受信する受信装置を接続可能とされ、
前記制御部は、該接続された受信装置から鍵識別コードを入力して、該鍵識別コードに基づいて各鍵を管理することを特徴とする請求項１乃至３のいずれか一項に記載の鍵管理装置。
【発明の詳細な説明】
【技術分野】
【０００１】
本発明は、複数の鍵を一括収納して管理する鍵管理装置に関する。
【背景技術】
【０００２】
従来、多数の鍵を管理するために、各鍵に札などのホルダを取り付けて、そのホルダを鍵管理ボックス（鍵管理装置）の指定されたロックユニットに挿入して保管し、取り出すときに管理者がＩＤ等を入力すると許可された鍵（ホルダ）だけがロックユニットとから取り出せるものがある。また、鍵自体を鍵シリンダに挿して、電気的にシリンダの解錠操作を制御する鍵管理ボックスなどがある。
【０００３】
また、このような鍵管理装置では、各ホルダや鍵とそれを挿入するロックユニットやシリンダは、それぞれ対応付けられている。例えば、特開２００３−１８４３６２号公報（特許文献１）に開示された技術では、その段落［００２４］に記載されているように、鍵管理部材（ホルダ）には特定の錠機構（ロックユニット）にのみ挿入を可能とする鍵管理部材特定部が設けられている。また、特開２０００−１３６６５５号公報（特許文献２）に開示され技術では、その段落［００１５］等に記載されているように、第１〜第３０の鍵とそのキーホルダが、第１〜第３０の収容部にそれぞれ対応付けられている。すなわち、各鍵の保管場所が定められている。
【特許文献１】特開２００３−１８４３６２号公報（特許文献１）
【特許文献２】特開２０００−１３６６５５号公報（特許文献２）
【発明の開示】
【発明が解決しようとする課題】
【０００４】
しかし、従来の技術では鍵毎に保管位置が決められているため次のような問題がある。例えば、特許文献１のように鍵にホルダを付けて保管し、そのホルダの形状違い等によって錠機構（ロックユニット）に対応付けるするものにあっては、それぞれ異なる構造としなければならないので、コストが高くなるとともに、ホルダの形状や錠機構の構成上、多数の鍵を保管する場合に限度がある。
【０００５】
また、鍵管理装置から一度に何個もの鍵が引き抜かれている場合、鍵をその保管されていた元の場所に戻すとき、何処に戻したらよいかを、いちいちホルダの番号等を確認しなければならず、特に、緊急で作業する場合など非常に煩雑となる。
【０００６】
本発明は、各ホルダ及び各ロックユニットをそれぞれ同一の構造とすることを可能にしてコストを低減するとともに、複数の鍵（ホルダ）をロックユニットに容易に戻すことができ、管理し易く使い勝手の良い鍵管理装置を提供することを課題とする。
【課題を解決するための手段】
【０００７】
請求項１の鍵管理装置は、鍵と該鍵に付帯するホルダとからなる複数の鍵ユニットを、該鍵ユニットを離脱不能にするロック機構を有する複数のロックユニットで保持し、該複数の鍵ユニットを一括して収納管理する鍵管理装置であって、前記鍵ユニットのホルダに当該鍵ユニットの識別コードを出力する識別コード出力手段が設けられ、前記ロックユニットに前記識別コードを入力する識別コード入力手段が設けられ、前記各ロックユニットに接続され該ロックユニットのロック機構を制御する制御部を備え、前記制御部は、前記ロックユニットに装着された鍵ユニットの識別コードを前記識別コード入力手段から入力して該識別コードと該ロックユニットとの対応情報を記録し、該対応情報に基づいて各ロックユニットのロック機構のロック及び解除を制御することを特徴とする。
【０００８】
請求項１の鍵管理装置において、ロックユニットから取り出した鍵ユニットを当該鍵管理装置に戻すとき、空いている任意のロックユニットに戻す。制御部はそのロックユニットに装着された鍵ユニットの識別コードを読み取り、その識別コードとそのロックユニットとの対応情報をメモリ等に記録する。したがって、制御部はどのロックユニットにどの鍵ユニットが戻されてるかを、いつでも認識することができるので、例えば、鍵を使用する管理者の管理者ＩＤに対してその管理者に使用が許可されている鍵（鍵ユニット）の識別コードを管理者ＩＤに対応して予め決めておき、この管理者ＩＤを入力することにより、管理者ＩＤに対応する鍵ユニットを取り出せるように、その鍵ユニットのロックユニットのロック機構を解除するなどの制御ができる。
【０００９】
請求項２の鍵管理装置は、請求項１に記載の鍵管理装置であって、前記制御部は、管理者ＩＤを入力するＩＤ入力手段を備え、入力した管理者ＩＤに許可された鍵ユニットに対応するロックユニットを前記対応情報から検出して、該検出したロックユニットのロック機構を解除することを特徴とする。
【００１０】
請求項２の鍵管理装置において、管理者ＩＤを入力するだけでその管理者ＩＤ（あるいは管理者）に対して使用が許可されている鍵ユニットだけを取り出せるようになり、鍵を確実に管理できる。
【００１１】
請求項３の鍵管理装置は、請求項１または２に記載の鍵管理装置であって、前記各ロックユニットに表示手段が設けられ、前記制御部によりロック機構の解除を行うロックユニットについて、該ロックユニットの表示手段に該解除または解除可能を知らせるための表示を行うことを特徴とする。
【００１２】
請求項３の鍵管理装置において、ロックユニットのロック機構を解除するとき、あるいは解除できるような場合に、ロックユニットの例えばＬＥＤを点灯するなど表示手段で表示することができるので、その鍵ユニットを取り出そうとする使用者（管理者等）は必要な鍵（鍵ユニット）がどこにあっても容易に確認できる。
【００１３】
請求項４の鍵管理装置は、請求項１乃至３のいずれか一項に記載の鍵管理装置であって、前記各鍵ユニットの各鍵に当該鍵の鍵識別コードを出力する鍵識別コード出力手段が設けられ、前記制御部に対して、該鍵識別コード出力手段の鍵識別コードを受信する受信装置を接続可能とされ、前記制御部は、該接続された受信装置から鍵識別コードを入力して、該鍵識別コードに基づいて各鍵を管理することを特徴とする。
【００１４】
請求項４の鍵管理装置において、特に、一つ一つの鍵ユニットに複数（多数）の鍵を束にして取り付けたような場合に、受信装置により各鍵の鍵識別コードを読み取ってその鍵識別コードを制御部に入力することができ、多数の鍵に対して例えば紛失している鍵の有無等の管理を容易に行うことができる。
【発明の効果】
【００１５】
請求項１の鍵管理装置によれば、制御部は鍵ユニットの識別コードとロックユニットとの対応情報で管理するので、ロックユニットから取り出した鍵ユニットを当該鍵管理装置に戻すとき、空いている任意のロックユニットに戻すことができるので、きわめて管理し易く使い勝手が良くなる。
【００１６】
請求項２の鍵管理装置によれば、請求項１の効果に加えて、管理者ＩＤを入力するだけでその管理者ＩＤ（あるいは管理者）に対して使用が許可されている鍵ユニットだけを取り出せるようになり、鍵を確実に管理できる。
【００１７】
請求項３の鍵管理装置によれば、請求項１または２の効果に加えて、鍵ユニットを取り出そうとする使用者（管理者等）は必要な鍵（鍵ユニット）がどこにあっても容易に確認できる。
【００１８】
請求項４の鍵管理装置によれば、請求項１、２または３の効果に加えて、多数の鍵に対して例えば紛失している鍵の有無等の管理を容易に行うことができ、さらに管理し易く使い勝手が良くなる。
【発明を実施するための最良の形態】
【００１９】
次に、本発明の鍵管理装置の実施形態を図面を参照して説明する。図１は本発明を適用した鍵管理ボックス（鍵管理装置）の正面図、図２は同鍵管理ボックスのロックユニット１と鍵ユニット２の正面図、図３は同ロックユニット１の内部構造を示す要部破断正面図及び側断面図である。この鍵管理ボックスは携帯型ケースに一体に構成したものであり、例えばセキュリティサービス会社の管理者が所定のビルや施設等の扉錠等のキー（鍵）を管理する時に用いられる。なお、図１はケースの図示しない蓋を開けた状態を示している。
【００２０】
ケース１０の側面にはボックス錠２０が配設されており、個々の管理者が所持しているマスターキーをこのボックス錠２０に挿入してボックスの蓋が開けられる。個々のマスターキーにはそのマスターキーに対応する管理者ＩＤを送信可能なＩＣタグが内蔵されている。また、ボックス錠２０にはマスターキーのＩＣタグから管理者ＩＤを読み取るＩＣリーダが配設されており、この管理ＩＤが認証されると、ボックス錠２０が解錠されて蓋を開けることができる。なお、ボックス錠２０には蓋の開閉を検出する開閉検出スイッチを備えている。
【００２１】
ケース１０内には複数個（この例では５０個）のロックユニット１，１，…が縦横に配列されており、ロックユニット１，１，…の正面にはＬＥＤ１１が配設されている。また、各ロックユニット１，１，…には鍵ユニット２，２，…が着脱自在に保持されている。ロックユニット１，１，…の横には操作盤３０が設けられており、この操作盤３０にはＬＣＤ表示器４０及びテンキー５０が配設されている。さらに、この操作盤３０の内部にはコンピュータ等で構成された制御部３が内蔵されており、各ロックユニット１，１，…、ボックス錠２０、ＬＣＤ表示器４０及びテンキー５０は制御部３によって制御される。なお、操作盤３０の下端にはＵＳＢコネクタ６０が配設されており、このＵＳＢコネクタ６０には鍵識別コードを受信する「受信装置」としてのハンディスキャナ１００等の外部機器が接続可能となっている。
【００２２】
図２に示すように、鍵ユニット２は「ホルダ」としてのタグカード２１にワイヤ２１ａにより複数の鍵２２，…を取り付けたものであり、タグカード２１の側部には「識別コード出力手段」としてのＩＣタグ２１ｂが取り付けられている。また、鍵２２にも「鍵識別コード出力手段」としてのＩＣタグ２２ａが取り付けられている。このタグカード２１のＩＣタグ２１ｂには当該鍵ユニット２に固有の識別コードが記録され、識別コードを送信する、そして、このＩＣタグ２１ｂの識別コードはロックユニット１内に配設された後述のＩＣリーダにより読み取られる。タグカード２１はロックユニット１に対して上部から挿入し、ロックユニット１の後述のロック機構が解錠されているとき上に引き抜くことによりロックユニット１から取り出すことができる。このタグカード２１はその側部に形成された凹部２１ｃによりロックユニット１の後述のロック機構により引き抜きが規制（ロック）される。なお、鍵２２のＩＣタグ２２ａは、前記ハンディスキャナ１００により非接触でスキャンされ、各鍵２２の鍵識別コードがハンディスキャナ１００で読み取られる。これにより、各鍵２２を個別に識別して、鍵２２の紛失の有無等を確認できる。
【００２３】
図３に示したように、ロックユニット１内にはロック機構１２が内蔵されている。ロック機構１２は、フックレバー１２ａの一箇所を軸１２ｂにより軸支し、フックレバー１２ａの上端の突起１２ｃがタグカード２１の凹部２１ｃに係合するようになっている。なお、フックレバー１２ａには水平アーム１２ｄが形成されており、タグカード２１をロックユニット１に挿入したとき、タグカード２１の下端部が水平アーム１２ｄを押し下げることで、フックレバー１２ａが回動し、突起１２ｃが凹部２１ｃに係合するようになっている。また、タグカード２１の下部にはソレノイド１２ｅが配設されており、このソレノイド１２ｅのプランジャ１２ｅ１には、一端を軸１２ｆ１によって軸支された水平板１２ｆが取り付けられている。
【００２４】
そして、ソレノイド１２ｅがＯＦＦ（非通電状態）のときはプランジャ１２ｅ１は図３のように上方に突出し、水平板１２ｆがフックレバー１２ａの下端部１２ａ１に当接する位置となる。この状態では、タグカード２１を引いても、下端部１２ａ１が水平板１２ｆに当接してフックレバー１２ａの回動が阻止され、突起１２ｃが凹部２１ｃから外れず、タグカード２１は引き抜くことができない。すなわち、ソレノイド１２ｅがＯＦＦでロック機構１２がロック状態となる。また、ソレノイド１２ｅがＯＮ（通電状態）のときはプランジャ１２ｅ１がソレノイド１２ｅに引き込まれ、水平板１２ｆが下降する。したがって、フックレバー１２ａの下端部１２ａ１が水平板１２ｆに当接せず、フックレバー１２ａが回動可能となる。これにより、タグカード２１を引き抜くことができる。すなわち、ソレノイド１２ｅがＯＮでロック機構１２が解除された状態となる。
【００２５】
タグカード２１の侵入路の近傍には、タグカード２１の有無を検出するタグ検出スイッチ１３と、ＩＣタグ２１ｂの識別コードを読み取る「識別コード入力手段」としてのＩＣリーダ１４が配設されている。さらに、ロックユニット１内には、タグ検出スイッチ１３の検出信号を出力したり、ＩＣタグ２１ｂから読み取った識別コードを出力するための制御ボード１５が配設されている。
【００２６】
図４は実施形態の鍵管理ボックスのブロック図であり、制御部３には、各ロックユニット１，１，…、ボックス錠２０、ボックスの開閉を検出する開閉検出スイッチ２０ａ、ボックス錠２０の近傍で管理者ＩＤを検出するＩＣリーダ２０ｂ、ＬＣＤ表示器４０及びテンキー５０が接続されている。制御部３は、メモリ、インタフェース、タイマ等から成るコンピュータ、電源回路及び各種駆動回路等で構成されており、ボックス錠２０の施解錠の制御、開閉検出スイッチ２０ａの監視、ＩＣリーダ２０ｂからの管理者ＩＤの読み取り、ＬＣＤ表示器４０の表示の制御、テンキー５０からの入力データの読み取りを行う。また、各ロックユニット１，１，…に対しては、タグ検出スイッチ１３でタグカード２１の有無を検出し、ＩＣリーダ１４で鍵ユニット２のＩＣタグ２１ｂから識別コードを読み取る。また、ソレノイド１２ｅのＯＮ／ＯＦＦを制御し、ＬＥＤ１１の点灯／点滅／消灯の制御を行う。
【００２７】
図５は制御部３のコンピュータが実行する制御プログラムのメインルーチンの要部フローチャート、図６は取り出し処理のサブルーチンのフローチャート、図７は返却処理のサブルーチンのフローチャートであり、同フローチャートに基づいて実施形態の動作を説明する。
【００２８】
電源の投入によって図５のメインルーチンをスタートすると、ステップＳ１で初期設定を行う。この初期設定では、バッテリーバックアップされているＣＭＯＳメモリ等に格納された出荷時のデフォルト情報や、前回までの処理状態に応じて各区のＵされた各種の設定データ読み取る。このデータとしては、当該鍵管理ボックスで管理する鍵２２，２２，…について使用許可されている管理者の管理者ＩＤ、すなわち管理者が所持するマスターキーのＩＣタグに記録されている管理者ＩＤのリストがある。また、ロックユニット１と鍵ユニット２との対応関係を示す対応情報がある。すなわち、この対応情報は、各ロックユニット１，１，…と、現在各ロックユニット１，１，…に挿入されている各々の鍵ユニット２，２，…との対応関係を示すものであり、後述のように、鍵ユニット２を取り出して使用し、その後戻したときにこの対応情報は更新される。
【００２９】
ステップＳ２では、ボックス錠２０のＩＣリーダ２０ｂにより管理者ＩＤが検出されたか（マスターキーが挿入されたか）を監視する。管理者ＩＤが検出されればステップＳ３で管理者ＩＤが登録されている管理者ＩＤと一致するかを判定し、一致しなければステップＳ２に戻る。管理者ＩＤが一致すれば（認証されれば）ステップＳ４でボックス錠２０を解錠し、ステップＳ５でボックス開待ちタイマをスタートさせ、ステップＳ６で開閉検出スイッチ２０ａによりボックスが開となるか判定し、開とならなければステップＳ７でタイマがタイムアウトしたかを判定する。タイムアウトしなければステップＳ６に戻り、タイムアウトすればステップＳ８でボックス錠２０を施錠してステップＳ２に戻る。
【００３０】
ステップＳ６でボックスが開となれば、ステップＳ９で図６の取り出し処理を行ってステップＳ１０に進む。後述のように図６の取り出し処理が終了すると、ステップＳ１０で未返却の鍵ユニット２は有るかを判定し、未返却の鍵ユニット２があればステップＳ１１で図７の返却処理を行う。なお、このステップＳ１０の判定は、取り出し処理で鍵ユニット２の取り出しを中止した場合に、ステップＳ１１の返却処理を実行しないようにするものである。後述のように図７の返却処理が終了するか未返却の鍵ユニット２がなければ、ステップＳ１２で開閉検出スイッチ２０ａによりボックスが閉となるのを監視し、閉となればステップＳ１３でボックス錠２０を施錠してステップＳ２に戻る。
【００３１】
図６の取り出し処理では、ステップＳ２１で対応情報を参照する。この対応情報は前記初期設定（ステップＳ１）でメモリから読み出したものである。次に、ステップＳ２２で、管理者ＩＤに対して使用が許可されている鍵２２，２２，…のあるロックユニット１，１，…の全てのＬＥＤ１１を点灯してステップＳ２３に進む。ここで、管理者ＩＤに対して使用が許可されている鍵２２は一般に複数あり、これら複数の鍵を有する鍵ユニット２も一般に複数ある。この鍵２２，２２，…の鍵識別コードと、これらの鍵２２，２２，…に対応する鍵ユニット２，２，…の識別コードとは、管理者ＩＤに対応付けて管理情報としてメモリに記憶されている。そして、ステップＳ２２では、この管理情報と前記対応情報とに基づいて、鍵２２，２２，…のあるロックユニット１，１，…を判定する。
【００３２】
ステップＳ２３では、ＬＣＤ表示器４０において鍵２２のキー番号を入力するように促す表示を行い、ステップＳ２４で入力待ちタイマをスタートさせ、ステップＳ２５でテンキー５０から番号が入力されるかを判定し、入力されなければステップＳ２６でタイマがタイムアウトしたかを判定する。タイムアウトしなければステップＳ２５に戻り、タイムアウトすればステップＳ３６で対応情報を現在の状態に更新してメインルーチンに復帰する。ここで、キー番号の入力待機時になにも入力されずにタイムアップした場合（例えば中止した場合）にも対応情報が更新されるが、実際には対応情報は現状のままとなる。しかし、この処理により、管理者が自分に許可されている鍵（鍵ユニット）のうち一部のものだけ取り出して使用する場合に、必要なものだけ取り出してそのままにしておけば自動的に対応情報が適正に更新されることになる。なお、対応情報の更新の詳細については後述する。
【００３３】
一方、ステップＳ２５でキー番号が入力されると、ステップＳ２７で、キー番号が正しいかすなわち管理者ＩＤに許可されている鍵２２の番号であるかを判定し、正しくなければステップＳ２３に戻り、正しければステップＳ２８に進む。ステップＳ２８では入力されたキー番号に対応するロックユニット１のＬＥＤ１１を点滅させ、ステップＳ２９でその対応するロックユニット１のソレノイド１２ｅをＯＮ（ロック解除）にする。そして、ステップＳ３０でタイマをスタートさせ、ステップＳ３１でタグカード２１が抜かれたかを判定し、抜かれなければステップＳ３２でタイマがタイムアウトしたかを判定する。タイムアウトしなければステップＳ３１に戻り、タイムアウトすれば、ステップＳ３３で対応するロックユニット１のソレノイドをＯＦＦ（ロック状態）にするとともにＬＥＤ１１を点灯にしてステップＳ２３に戻る。この場合は、現在入力したキー番号について中止した場合の処理である。
【００３４】
ステップＳ３１でタグカード２１が抜かれれば、ステップＳ３４で対応するロックユニット１のＬＥＤ１１を消灯し、ステップＳ３５に進む。ステップＳ３５では、管理者ＩＤに対して許可されている鍵のある全部のロックユニット１について処理が終了したかを判定し、終了していなければステップＳ２３に戻り、終了すれば、ステップＳ３６で対応情報を現在の状態に更新してメインルーチンに復帰する。
【００３５】
ここで、対応情報は、前述のように各ロックユニット１，１，…と挿入されている各々の鍵ユニット２，２，…との対応関係を示すものであるが、この対応情報更新する毎に、各ロックユニット１，１，…について、現在、鍵ユニット２が挿入されているかいないかを示すフラグも記録される。また、このとき、ＩＣリーダ１４でタグカード２１のＩＣタグ２１ｂから識別コードを読み取り、その識別コードとロックユニット１，１，…との対応関係の更新も行う。
【００３６】
図７の返却処理では、ステップＳ４１でメモリから対応情報を読み出してその対応情報を参照し、ステップＳ４２で全ての空きロックユニット１（タグカード２１が挿入されていないロックユニット）のＬＥＤ１１を点灯し、ステップＳ４３に進む。ステップＳ４３では、空きロックユニット１でタグカード２１が検出されるか否か（タグカード２１が挿入されるか否か）を監視し、検出されればステップＳ４４で、タグカード２１が検出されたロックユニット１のＩＣリーダ１４で識別コードを読み取り、ステップＳ４５で対応するロックユニット１のソレノイド１２ｅをＯＦＦ（ロック状態）にしてステップＳ４６に進む。そして、ステップＳ４６で前記同様に対応情報の更新を行ってステップＳ４７に進む。
【００３７】
ステップＳ４７ではタイマをスタートさせ、ステップＳ４８で空きロックユニット１に全てのタグカード２１が正規に検出されたかを判定する。なお、この正規に検出されたかの判定は、ステップＳ４６で更新された対応情報を参照することにより、判定できる。正規に検出しなければ、ステップＳ４９でタイマがタイムアウトしたかを判定する。タイムアウトしなければステップＳ４３に戻り、タイムアウトすれば、ステップＳ５０で点灯中のＬＥＤ１１を警報として点滅させてステップＳ４３に戻る。ステップＳ４８で全てのタグカード２１が正規に検出されれば、ステップＳ５１でＬＥＤ１１を消灯してメインルーチンに復帰する。このように、また、鍵ユニット２（タグカード２１）は空きロックユニットであれば何処に挿入（返却）することもでき、鍵ユニット２がロックユニット１に正規に返却されれば、ステップＳ４６の処理により対応情報は適正なものに更新されることになる。
【００３８】
以上の実施形態では、ロックユニット１のＬＥＤ１１を点灯するようにしているので、管理者ＩＤに対応する鍵のあるロックユニットを容易に確認することができる。
【００３９】
なお、実施形態では、タグカード２１をタグ検出スイッチ１３により検出するようにしているが、タグカード２１にはＩＣタグ２１ｂが備えられているので、このＩＣタグ２１ｂの識別コードが検出されるか否かでタグカード２１の有無を検出するようにしてもよい。
【００４０】
また、実施形態では、管理者によりキー番号を入力するようにしているが、この入力処理は行わずに、管理者に許可された鍵のあるロックユニットのＬＥＤを点灯して、直ぐにそのロックユニットから鍵ユニットをだ取り出せるようにしてもよい。
【００４１】
実施形態では、ハンディスキャナ１００により鍵２２のＩＣタグ２２ａの鍵識別コードを読み取るようにしているが、このハンディスキャナ１００で鍵識別コードを例えば管理センタ等に通信で送信し、各鍵２２の管理を行うようにしてもよい。
【００４２】
また、実施形態では、鍵管理ボックス（鍵管理装置）を携帯型ケースに一体に構成した例について説明したが、鍵管理ボックスは例えば施設の壁等に組み付けられた固定式のものでもよい。この場合、鍵管理ボックスを管理センターあるいは管理室等のホストコンピュータとＬＡＮで接続して、対応情報や鍵識別コード等の管理を行うようにしてもよい。
【００４３】
また、実施形態では、鍵ユニットの識別コードを出力する識別コード出力手段がＩＣタグである場合について説明したが、識別コードを出力できるものであればＩＣタグでなくてもよい。
【００４４】
また、実施形態の鍵ユニット２は、ホルダとしてのタグカード２１にワイヤ２１ａで複数の鍵２１を取り付けたものであるが、一つの「鍵」を一つの「鍵ユニット」に対応させる構成とし、「鍵」と「ホルダ」とを一体に形成して「鍵ユニット」としてもよい。また、ロックユニットのロック機構は実施形態のものに限定されず、鍵ユニットをロックユニットにロックできる構成であればよいことはいうまでもない。
【図面の簡単な説明】
【００４５】
【図１】本発明を適用した鍵管理ボックスの正面図である。
【図２】実施形態の鍵管理ボックスのロックユニットと鍵ユニットの正面図である。
【図３】実施形態の鍵管理ボックスのロックユニットと鍵ユニットの正面図である。
【図４】実施形態の鍵管理ボックスのブロック図である。
【図５】実施形態におけるメインルーチンの要部フローチャートである。
【図６】実施形態における取り出し処理のサブルーチンのフローチャートである。
【図７】実施形態における返却処理のサブルーチンのフローチャートである。
【符号の説明】
【００４６】
１        ロックユニット
２        鍵ユニット
３        制御部
１１      ＬＥＤ
２１      タグカード
２１ｂ    ＩＣタグ
２２      鍵
【図１】
2006257643.tif 000003
【図２】
2006257643.tif 000004
【図３】
2006257643.tif 000005
【図４】
2006257643.tif 000006
【図５】
2006257643.tif 000007
【図６】
2006257643.tif 000008
【図７】
2006257643.tif 000009